(57)【特許請求の範囲】
【請求項１】
支柱に横材を取り付けるための防護柵用横材取付金具において、
前記支柱に固定される固定部と、前記横材が取り付けられる一対の横材取付部とが形成され、前記横材取付部の各々には、横材取付ボルトが挿通されるボルト孔と、前記ボルト孔の下方部に形成された、前記横材が仮置きされる横材仮置き部とが形成され、前記横材仮置き部は、一方の板状体と他方の板状体とからなり、前記一方の板状体と前記他方の板状体とは、連結手段により前記固定部の外方に広がる弾性力に抗して、互いに連結可能であり、前記連結手段は、前記一方の板状体に形成された爪と、前記他方の板状体に形成された、前記爪が係止される開口とからなり、前記一対の横材取付部は、前記連結手段による連結前において、ハの字状に広がっていることを特徴とする防護柵用横材取付金具。
【請求項２】
前記一方の板状体と前記他方の板状体は、前記横材取付部の下部を内側に折り曲げることにより形成されていることを特徴とする、請求項１に記載の防護柵用横材取付金具。
【請求項３】
前記横材仮置き部は、間隔をあけて形成された内側仮置き部と外側仮置き部とからなり、前記内側仮置き部の高さは、前記外側仮置き部の高さより高く、前記連結手段は、前記内側仮置き部および前記外側仮置き部の少なくとも一方に形成されていることを特徴とする、請求項１または２に記載の防護柵用横材取付金具。
【請求項４】
前記固定部は、板材をＵ字状に折り曲げることにより、前記支柱に巻き付けられるバンド部からなることを特徴とする、請求項１から３の何れか１つに記載の防護柵用横材取付金具。
【請求項５】
前記バンド部は、前記支柱のキャップと一体化されていることを特徴とする、請求項１から４の何れか１つに記載の防護柵用横材取付金具。
【発明の詳細な説明】
【技術分野】
【０００１】
この発明は、防護柵用横材取付金具、特に、支柱に沿って任意に移動可能であると共に、所定位置で固定可能であり、また、施工誤差により支柱間の間隔が基準間隔より長い場合であっても、支柱に対する横材の取り付け角度によらず、横材を受け金具に仮置きすることができる結果、支柱に横材を容易に取り付けることが可能な防護柵用横材取付金具に関するものである。
【背景技術】
【０００２】
防護柵は、例えば、支柱と支柱間に取り付けられた横材とからなり、歩行者の路外転落や車道への立ち入りを防止する目的で設置される。
【０００３】
このような防護柵において、支柱に横材を取り付けるための防護柵用横材取付金具の一例が特許文献１に開示されている。以下、この防護柵用横材取付金具を従来取付金具Ａといい、図面を参照しながら説明する。
【０００４】
図１４は、従来取付金具Ａによる支柱と横材との取り付け部分を示す分解斜視図である。
【０００５】
図１４に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横材２２を取り付けるには、同図に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横材２２の端部を載置して、横材２２を受け金具２３に仮置きする。
【０００８】
そして、被せ金具２５の被せ部２６を横材２２の端部に被せると共に、被せ金具２５を支柱２１に当接し、横材取付ボルト３１を被せ金具２５のボルト孔３２と、横材２２の端部に形成されたボルト孔３３と、受け金具２３の端部に形成されたボルト孔３４とに挿通し、ナット３５により横材２２を受け金具２３および被せ金具２５を介して支柱２１に取り付ける。この際、被せ金具２５に形成された貫通孔３６は、受け金具取付ボルト２７の頭部より大きく形成されているので、横材２２を受け金具２３に仮置きした後、被せ金具２５を支柱２１に固定することができる。
【０００９】
支柱に横材を取り付けるための防護柵用横材取付金具の別の例が特許文献２に開示されている。以下、この防護柵用横材取付金具を従来取付金具Ｂといい、図面を参照しながら説明する。
【００１０】
図１５は、従来取付金具Ｂを示す斜視図である。
【００１１】
図１５に示すように、従来取付金具Ｂは、支柱３７との当接面３８が凹没して形成され、上面に横材取付ボルトのボルト孔３９が形成されているものからなっている。
【００１２】
従来取付金具Ｂにより横材４０を支柱３７に水平に取り付けるには、図１６に示すように、従来取付金具Ｂを支柱３７に固定ボルト４１によって水平に固定する。
【００１３】
従来取付金具Ｂにより横材４０を支柱３７に傾斜して取り付けるには、図１７に示すように、従来取付金具Ｂを垂直面内において当接面３８にそって傾斜させ、固定ボルト４１によって固定する。
【００１４】
横材４０を水平面内において角度をつけて取り付けるには、図１８に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横材２２を仮置きすることができるので、支柱２１への横材２２の取り付けが容易に行えるが、受け金具取付ボルト２７が不可欠であるので、外観が悪いと共に、材料費がかかる。
【００１７】
また、従来取付金具Ａによれば、受け金具２３の受け部２４に横材２２を仮置きすることはできるが、支柱２１間の距離は、常時、一定とは限らず、支柱２１の施工誤差により支柱２１間の間隔が基準間隔より長くなる場合がある（図１２参照）。このような場合、横材２２を受け部２４に仮置きするに際して、横材２２の一方端部を一方の支柱２１の壁面に当接させると、横材２２の他方端部が他方の支柱２１の受け部２４から脱落するおそれがあった。
【００１８】
従来取付金具Ａは、基本的に支柱２１に横材２２を水平に取り付けるものであるが、支柱２１に横材２２を傾斜させて取り付ける場合も上述した問題があった。
【００１９】
上述した従来取付金具Ｂによれば、固定ボルト４１が露出しないので、外観は、優れているが、固定ボルト４１が不可欠であるので、材料費がかかる。しかも、固定ボルト４１の締結作業がやりづらいので、支柱３７への横材４０の取り付けに時間を要する。
【００２０】
従って、この発明の目的は、施工誤差により支柱間の間隔が基準間隔より長い場合であっても、支柱に対する横材の取り付け角度によらず、横材を受け金具に仮置きすることができる結果、支柱に横材を容易に取り付けることが可能な防護柵用横材取付金具を提供することにある。
【００２１】
また、この発明の別の目的は、支柱に横材取付金具を固定する横材取付金具用固定ボルトが不要であるので、この点からも支柱への横材の取り付けが容易に行えると共に、外観に優れ、さらに、コスト低減を図ることができる防護柵用横材取付金具を提供することにある。
【００２２】
また、この発明の更に別の目的は、支柱に沿って任意に移動可能であると共に、所定位置で固定可能である、防護柵用横材取付金具を提供することにある。
【課題を解決するための手段】
【００２３】
この発明は、上記目的を達成するためになされたものであって、下記を特徴とする。
【００２４】
請求項１に記載の発明は、支柱に横材を取り付けるための防護柵用横材取付金具において、前記支柱に固定される固定部と、前記横材が取り付けられる一対の横材取付部とが形成され、前記横材取付部の各々には、横材取付ボルトが挿通されるボルト孔と、前記ボルト孔の下方部に形成された、前記横材が仮置きされる横材仮置き部とが形成され、前記横材仮置き部は、一方の板状体と他方の板状体とからなり、前記一方の板状体と前記他方の板状体とは、連結手段により前記固定部の外方に広がる弾性力に抗して、互いに連結可能であり、前記連結手段は、前記一方の板状体に形成された爪と、前記他方の板状体に形成された、前記爪が係止される開口とからなり、前記一対の横材取付部は、前記連結手段による連結前において、ハの字状に広がっていることに特徴を有するものである。
【００２５】
請求項２に記載の発明は、請求項１に記載の発明において、前記一方の板状体と前記他方の板状体は、前記横材取付部の下部を内側に折り曲げることにより形成されていることに特徴を有するものである。
【００２６】
請求項３に記載の発明は、請求項１または２に記載の発明において、前記横材仮置き部は、間隔をあけて形成された内側仮置き部と外側仮置き部とからなり、前記内側仮置き部の高さは、前記外側仮置き部の高さより高く、前記連結手段は、前記内側仮置き部および前記外側仮置き部の少なくとも一方に形成されていることに特徴を有するものである。
【００２７】
請求項４に記載の発明は、請求項１から３の何れか１つに記載の発明において、前記固定部は、板材をＵ字状に折り曲げることにより、前記支柱に巻き付けられるバンド部からなることに特徴を有するものである。
【００２８】
請求項５に記載の発明は、請求項１から４の何れか１つに記載の発明において、前記バンド部は、前記支柱のキャップと一体化されていることに特徴を有するものである。
【発明の効果】
【００３０】
この発明によれば、横材取付部に横材仮置き部を形成することによって、支柱への横材の取り付けが容易に行える。
【００３１】
また、この発明によれば、横材仮置き部を構成する一方の板状体と他方の板状体とを連結手段を介して連結可能とすることによって、支柱に沿って任意に移動可能であると共に、所定位置で固定可能となる。
【００３２】
また、この発明によれば、横材仮置き部を、高さの異なる内側仮置き部と外側仮置き部とにより構成することによって、施工誤差により支柱間の間隔が基準間隔より長い場合であっても、支柱に対する横材の取り付け角度によらず、横材を横材仮置き部に仮置きすることができる。
【００３３】
また、この発明によれば、支柱に固定される固定部を、支柱に巻き付けるバンド部により形成し、バンド部と支柱のキャップとを一体化することによって、横材取付金具用固定ボルトを使用することなく、支柱に横材取付金具を取り付けることができるので、支柱への横材の取り付けが容易に行えると共に外観に優れ、しかも、コストの低減を図ることができる。
【図面の簡単な説明】
【００３４】
【図１】この発明の防護柵用横材取付金具により構築された防護柵を示す部分正面図である。
【図２】この発明の防護柵用横材取付金具により構築された防護柵を斜め下方から見た部分斜視図である。
【図３】この発明の一方の防護柵用横材取付金具を示す正面図である。
【図４】この発明の他方の防護柵用横材取付金具を示す正面図である。
【図５】この発明の別の防護柵用横材取付金具により構築された防護柵を示す部分正面図である。
【図６】この発明の防護柵用横材取付金具により構築された防護柵を斜め下方から見た部分斜視図である。
【図７】図６の部分拡大図である。
【図８】この発明の別の一方の防護柵用横材取付金具を示す正面図である。
【図９】この発明の別の他方の防護柵用横材取付金具を示す正面図である。
【図１０】この発明の別の防護柵用横材取付金具に横材を仮置きした状態を示す正面図である。
【図１１】この発明の別の防護柵用横材取付金具に横材を仮置きした状態を斜め下方から見た斜視図である。
【図１２】この発明の別の防護柵用横材取付金具による横材を仮置きした状態を示す概略正面図である。
【図１３】支柱の中間部に横材を固定した状態を斜め下方から見た斜視図である。
【図１４】従来取付金具Ａによる支柱と横材との取り付け部分を示す分解斜視図である
【図１５】従来取付金具Ｂを示す斜視図である。
【図１６】従来取付金具Ｂにより横材を支柱に水平に取り付けた状態を示す正面図である。
【図１７】従来取付金具Ｂにより横材を支柱に傾斜して取り付けた状態を示す正面図である。
【図１８】従来取付金具Ｂにより横材を水平面内において角度をつけて支柱に取り付けた状態を示す正面図である。
【発明を実施するための形態】
【００３５】
この発明の防護柵用横材取付金具の一実施態様を、図面を参照しながら説明する。
【００３６】
図１は、この発明の防護柵用横材取付金具により構築された防護柵を示す部分正面図、図２は、この発明の防護柵用横材取付金具により構築された防護柵を斜め下方から見た部分斜視図、図３は、この発明の一方の防護柵用横材取付金具を示す正面図、図４は、この発明の他方の防護柵用横材取付金具を示す正面図である。
【００３７】
図１から図４に示すように、この発明の防護柵用横材取付金具Ｃ１（以下、単に、横材取付金具Ｃ１という。）は、板材としての鋼板をＵ字状に折り曲げることにより、支柱１に巻き付けられることにより固定される固定部としてのバンド部２と、横材３（横ビーム）が取り付けられる一対の横材取付部４とが形成されたものからなっている。なお、この実施態様では、横材を横ビームとしているが、横ビームに限定されず、胴縁材やパネル体枠材等であっても良い。
【００３８】
横材取付部４は、対向して形成され、横材取付部４間に横材３の端部が挟み込まれ、横材取付ボルト５により固定される。対向する横材取付部４は、バンド部２の外方に広がる弾性力によって、横材３の固定前は、若干、ハの字状に広がっている。なお、６は、補強用のエンボスである。
【００３９】
横材取付部４の各々には、横材取付ボルト５が挿通されるボルト孔７と横材３が仮置きされる横材仮置き部８とが形成されている。
【００４０】
横材仮置き部８は、横材取付部４の下部の内側に、横材取付部４の下部を内側に折り曲げることにより形成された、一方の板状体９と他方の板状体１０とからなっている。一方の板状体９と他方の板状体１０とは、連結手段１１を介してバンド部２の外方に広がる弾性力に抗して、互いに連結可能になっている。
【００４１】
連結手段１１は、一方の板状体９に形成された爪９ａと、他方の板状体１０に形成された、爪９ａがバンド部２の外方に広がる弾性力によって係止される開口１０ａとからなっている（図７参照）。
【００４２】
なお、横材仮置き部８は、図示の例では、横材取付部４の下部を内側に折り曲げることによって形成されているが、横材仮置き部８を別に製作し、これを横材取付部４の下部の内側に溶接等により固定しても良い。
【００４３】
バンド部２は、上部バンド部２ａと下部バンド部２ｂとに２分割されていて、上部バンド部２ａは、支柱１の頂部に被せられるキャップ１２と一体化されている。上部バンド部２ａと下部バンド部２ｂとの間に、後述する、この発明の他方の防護柵用横材取付金具Ｃ２（以下、単に、横材取付金具Ｃ２という。）のバンド部２が挿入される。
【００４４】
バンド部２がキャップ１２と一体化されていることによって、横材取付金具Ｃ１を支柱１に固定するための横材取付金具用固定ボルトが不要となると共に、横材取付金具Ｃ１の位置決めが確実に行なえる。
【００４５】
他方の横材取付金具Ｃ２は、バンド部２が一方の横材取付金具Ｃ１の上部バンド部２ａと下部バンド部２ｂとの間に挿入されるので、上下に移動することはない。横材取付金具用固定ボルトが不要となることによって、支柱１への横材３の取り付けが容易に行えると共に外観に優れ、しかも、コストの低減を図ることができる。
【００４６】
図４に示すように、上述した一方の横材取付金具Ｃ１と支柱１を挟んで反対側に取り付けられる他方の横材取付金具Ｃ２は、バンド部２が上部バンド部２ａと下部バンド部２ｂとに分割されていない点でのみ、一方の防護柵用横材取付金具Ｃ１と相違する（図４参照）。
【００４７】
上記例は、横材３を支柱１の上部に固定する場合であるので、横材取付金具Ｃ１は、キャップ１２を有している。従って、横材取付金具Ｃ１の位置決めの必要はないが、横材３を支柱１の下部に固定する場合には、キャップ１２を有さない横材取付金具Ｃ１と横材取付金具Ｃ２とを支柱１の上端から嵌め込み、これらを支柱１の下部の所定位置に手で持って保持しておく必要がある。
【００４８】
しかし、一方の板状体９と他方の板状体１０とを連結手段１１により連結することによって、横材取付金具Ｃ１と横材取付金具Ｃ２とが支柱１に沿って落下するおそれはない。すなわち、一方の板状体９と他方の板状体１０とを手で互いに接近させると、一方の板状体９に形成された爪９ａが他方の板状体１０に形成された開口１０ａに、バンド部２の外方に広がる弾性力に抗して係止されるので、横材取付金具Ｃ１と横材取付金具Ｃ２とは、これらを手で保持することなく、支柱１の所定位置に固定される。
【００４９】
一方および他方の横材取付金具Ｃ１、Ｃ２により横材３を支柱１間に取り付けるには、以下のようにする。
【００５０】
支柱１の上端から一方の横材取付金具Ｃ１のバンド部２と、上部バンド部２ａと下部バンド部２ｂとの間に挟み込んだ他方の横材取付金具Ｃ２のバンド部２とを嵌め込む。上部バンド部２ａと支柱１のキャップ１２とは一体化されているので、一方および他方の横材取付金具Ｃ１、Ｃ２のバンド部２を支柱１に嵌め込めば、自動的に支柱１にキャップ１２が被せられ、一方および他方の横材取付金具Ｃ１、Ｃ２は、横材取付金具用固定ボルトを使用することなく、支柱１の所定位置に確実に取り付けられる。
【００５１】
次いで、横材３の端部を支柱１の横材取付金具Ｃ１、Ｃ２の仮置き部８に仮置きする。
【００５２】
このようにして、横材３を支柱１間に仮置きした後は、横材取付ボルト５をボルト孔７に挿通してナット（図示せず）により固定すれば、横材３を支柱１間に容易に取り付けることができる。
【００５３】
以上は、横材３を支柱１の上部に固定する場合であるが、横材３を支柱１の下部に固定する場合には、横材３を支柱１の上部に固定する前に、キャップ１２を有さない横材取付金具Ｃ１と横材取付金具Ｃ２とを支柱１の上端から嵌め込む。この際、横材取付金具Ｃ１の横材仮置き部８の一方の板状体９と他方の板状体１０とを手で互いに接近させて、一方の板状体９と他方の板状体１０とを連結させる。これによって、横材取付金具Ｃ１は、これらを手で保持することなく、支柱１の所定位置に固定される。
【００５４】
この後、上述した、キャップ１２を有する横材取付金具Ｃ１と横材取付金具Ｃ２の場合と同様にして、横材３を支柱１の下部に固定する。
【００５５】
次に、この発明の別の防護柵用横材取付金具の一実施態様を、図面を参照しながら説明する。
【００５６】
図５は、この発明の別の防護柵用横材取付金具により構築された防護柵を示す部分正面図、図６は、この発明の防護柵用横材取付金具により構築された防護柵を斜め下方から見た部分斜視図、図７は、図６の部分拡大図、図８は、この発明の別の一方の防護柵用横材取付金具を示す正面図、図９は、この発明の別の他方の防護柵用横材取付金具を示す正面図である。
【００５７】
図５から図９において、この発明の別の横材取付金具Ｃ３、Ｃ４は、横材仮置き部８が間隔をあけて形成された内側仮置き部１３と外側仮置き部１４とからなり、内側仮置き部１３の高さ（Ｈ）（図８参照）が外側仮置き部１４の高さより高くなっている点でのみ、横材取付金具Ｃ１、Ｃ２と相違する。
【００５８】
この例では、外側仮置き部１４を一方の板状体９と他方の板状体１０とにより構成し、これらが連結手段１１により連結可能になっているが、内側仮置き部１３を連結手段１１により連結可能としても、あるいは、両方を連結手段１１により連結可能としても良い。
【００５９】
横材３を仮置きする際、図１２（ａ）に示すように、一方の支柱１ａと他方の支柱１ｂとの間隔（Ｌ）が基準間隔である場合には、横材３が横材取付金具Ｃ３、Ｃ４の横材仮置き部８から脱落するおそれはないが、図１２（ｂ）に示すように、支柱１ａ、１ｂ間の間隔が施工誤差により基準間隔より（Ｌ１）だけ長い場合には、横材３の一端部を、例えば、一方の支柱１ａに当接させると、横材３の他端部が他方の支柱１ｂの横材取付金具Ｃ２の横材仮置き部８から脱落するおそれがある。
【００６０】
この場合には、図１２（ｃ）に示すように、横材３の一端部を一方の支柱１ａの横材取付金具Ｃ３の外側仮置き部１４に仮置きする（図１０、図１１中、左側参照）。内側仮置き部１３の高さは、外側仮置き部１４の高さより高く形成されていると共に、内側仮置き部１３は、一方の支柱１ａより離れているので、横材３の一端部は、内側仮置き部１３に当接する。この結果、横材３の他端部は、他方の支柱１ｂの横材仮置き部８から脱落することなく、確実に横材仮置き部８に仮置きすることができる。図１２（ｃ）に示す例では、横材３の他端部は、他方の支柱１ｂの横材仮置き部８の外側仮置き部１４に仮置きすることができる。
【００６１】
横材３を支柱１間に傾斜させて取り付ける場合には、横材３の一端部を、例えば、一方の支柱１ａの横材取付金具Ｃ２の仮置き部８に傾斜させて仮置きするが、支柱１ａ、１ｂ間の間隔が基準間隔より長い場合には、横材３の一端部の下部を内側仮置き部１３と外側仮置き部１４との隙間（Ｓ）に引っ掛ける（図１０、図１１中、右側参照）。これによって、支柱１ａ、１ｂ間の間隔が基準間隔より長い場合であっても横材３を傾斜させて支柱１間に確実に仮置きすることができる。
【００６２】
横材取付金具Ｃ３、Ｃ４の支柱１への固定方法は、横材取付金具Ｃ１、Ｃ２の場合と同様である。
【００６３】
以上の実施形態は、支柱１の上部に横材３を固定する場合であるが、図１３に示すように、支柱１の中間部に横材３を固定する場合であっても適用可能である。この場合、キャップは、不要となる。横材取付金具Ｃ１、Ｃ２の場合も同様である。
【００６４】
以上、説明したように、この発明によれば、横材取付部４に横材仮置き部８を形成することによって、支柱１への横材３の取り付けが容易に行える。
【００６５】
また、この発明によれば、横材仮置き部８を構成する一方の板状体９と他方の板状体１０とを連結手段１１を介して連結可能とすることによって、支柱１に沿って任意に移動可能であると共に、所定位置で固定可能となる。
【００６６】
また、この発明によれば、横材仮置き部８を、高さの異なる内側仮置き部１３と外側仮置き部１４とにより構成することによって、施工誤差により支柱１間の間隔が基準間隔より長い場合であっても、支柱１に対する横材３の取り付け角度によらず、横材３を横材仮置き部８に確実に仮置きすることができる。
【００６７】
また、この発明によれば、支柱１に固定される固定部を、支柱に巻き付けるバンド部２により形成し、バンド部２と支柱１のキャップ１２とを一体化することによって、横材取付金具用固定ボルトを使用することなく、支柱１に横材取付金具を取り付けることができるので、支柱１への横材３の取り付けが容易に行えると共に外観に優れ、しかも、コストの低減を図ることができる。
【符号の説明】
【００６８】
Ａ：従来取付金具
Ｂ：従来取付金具
Ｃ１：この発明の一方の横材取付金具
Ｃ２：この発明の他方の横材取付金具
Ｃ３：この発明の別の一方の横材取付金具
Ｃ４：この発明の別の他方の横材取付金具
１：支柱
１ａ：一方の支柱
１ｂ：他方の支柱
２：バンド部
２ａ：上部バンド部
２ｂ：下部バンド部
３：横材
４：横材取付部
４ａ：内側仮置き部
４ｂ：外側仮置き部
５：横材取付ボルト
６：エンボス
７：ボルト孔
８：横材仮置き部
９：一方の板状体
９ａ：爪
１０：他方の板状体
１０ａ：開口
１１：連結手段
１２：キャップ
１３：内側仮置き部
１４：外側仮置き部
２１：支柱
２２：横材
２３：受け金具
２４：受け部
２５：被せ金具
２６：被せ部
２７：受け金具取付ボルト
２８：ボルト孔
２９：ボルト孔
３０：ナット
３１：横材取付ボルト
３２：ボルト孔
３３：ボルト孔
３４：ボルト孔
３５：ナット
３６：貫通孔
３７：支柱
３８：当接板
３９：ボルト孔
４０：支柱
４１：固定ボルト
【要約】
【課題】支柱への横材の取り付けが容易に行え、しかも、外観に優れた防護柵用横材取付金具を提供することにある。
【解決手段】支柱１に固定される固定部としてのバンド部２と、横材３が取り付けられる一対の横材取付部４とが形成され、横材取付部４の各々には、横材取付ボルト５が挿通されるボルト孔７と、ボルト孔７の下方部に形成された、横材３が仮置きされる横材仮置き部８とが形成され、横材仮置き部８は、一方の板状体９と他方の板状体１０とからなり、一方の板状体９と他方の板状体１０とは、爪９ａと、爪９ａが係止される連結手段１１により、バンド部２の外方に広がる弾性力に抗して、互いに連結可能である。
【選択図】図２【図１】
0005826424.tif 000002
【図２】
0005826424.tif 000003
【図３】
0005826424.tif 000004
【図４】
0005826424.tif 000005
【図５】
0005826424.tif 000006
【図６】
0005826424.tif 000007
【図７】
0005826424.tif 000008
【図８】
0005826424.tif 000009
【図９】
0005826424.tif 000010
【図１０】
0005826424.tif 000011
【図１１】
0005826424.tif 000012
【図１２】
0005826424.tif 000013
【図１３】
0005826424.tif 000014
【図１４】
0005826424.tif 000015
【図１５】
0005826424.tif 000016
【図１６】
0005826424.tif 000017
【図１７】
0005826424.tif 000018
【図１８】
0005826424.tif 000019